(57)【要約】【課題】レバーの浮き上がりを抑制することが可能なレバー式コネクタを提供する。【解決手段】互いに嵌合可能な一対のハウジング１０，３０と、前記一対のハウジング１０，３０のうち一方のハウジング１０に取り付けられたレバー２０と、を有し、前記レバー２０が、前記一方のハウジング１０の壁部１０Ｗに沿って配される板状をなすレバー本体部２１を有し、前記一対のハウジング１０，３０のうち他方のハウジング３０が、前記レバー本体部２１のうち前記壁部１０Ｗに接する側とは反対側の板面２１Ｕに当接可能な突起部３７を備えている。【選択図】図１
2018078008.tif 000002
【特許請求の範囲】
【請求項１】
互いに嵌合可能な一対のハウジングと、
前記一対のハウジングのうち一方のハウジングに取り付けられたレバーと、を有し、
前記レバーが、前記一方のハウジングの壁部に沿って配される板状をなすレバー本体部を有し、
前記一対のハウジングのうち他方のハウジングが、前記レバー本体部のうち前記壁部に接する側とは反対側の板面に当接可能な突起部を備えているレバー式コネクタ。
【請求項２】
前記他方のハウジングが、前記レバー本体部に形成されたカム溝に係合可能なカム軸を有し、
前記突起部が、前記カム軸と一体に形成されている請求項１に記載のレバー式コネクタ。
【請求項３】
前記一方のハウジングが、前記レバー本体部を間にして前記壁部と対向する対向壁部を有し、
前記対向壁部が、前記一対のハウジングの正規嵌合時に、前記突起部に対し、前記嵌合方向に当接可能な当接部を備えている請求項１または請求項２に記載のレバー式コネクタ。
【請求項４】
前記一方のハウジングが、前記レバー本体部を間にして前記壁部と対向する対向壁部を有し、
前記対向壁部が、前記突起部に対し、前記嵌合方向と交差する方向に当接可能な当接部を備えている請求項１ないし請求項３のいずれか一項に記載のレバー式コネクタ。
【請求項５】
前記突起部が、前記レバー本体部の前記板面に乗り上がることを誘導するテーパ面を備えている請求項１ないし請求項４のいずれか一項に記載のレバー式コネクタ。
【発明の詳細な説明】
【技術分野】
【０００１】
本発明は、レバー式コネクタに関する。
【背景技術】
【０００２】
従来、互いに嵌合可能な一対のハウジングのうち一方のハウジングにレバーが取り付けられたレバー式コネクタが知られている。レバー式コネクタは、一方のハウジングに取り付けられたレバーを操作することにより、両ハウジングを正規嵌合させることが可能なコネクタである。例えば下記特許文献１に記載のレバー式コネクタは、雌側ハウジングの上面に沿って一枚板状をなすレバーが取り付けられている。レバーは、雌側ハウジングの上面に突設された支軸部を中心にして回動するものである。
【先行技術文献】
【特許文献】
【０００３】
【特許文献１】特開２０１４−９９３１５号公報
【発明の概要】
【発明が解決しようとする課題】
【０００４】
しかしながら、上記のような構成では、レバーの操作時にレバーが傾いて、レバーの一部がハウジングの上面から浮き上がる虞がある。レバーが浮き上がると、ハウジングが正しい姿勢で嵌合されない虞が生じるため改善が望まれていた。
【０００５】
本発明は上記のような事情に基づいて完成されたものであって、レバーの浮き上がりを抑制することが可能なレバー式コネクタを提供することを目的とする。
【課題を解決するための手段】
【０００６】
本発明のレバー式コネクタは、互いに嵌合可能な一対のハウジングと、前記一対のハウジングのうち一方のハウジングに取り付けられたレバーと、を有し、前記レバーが、前記一方のハウジングの壁部に沿って配される板状をなすレバー本体部を有し、前記一対のハウジングのうち他方のハウジングが、前記レバー本体部のうち前記壁部に接する側とは反対側の板面に当接可能な突起部を備えているものである。
【発明の効果】
【０００７】
本発明によれば、レバー本体部の浮き上がりが、突起部によって押さえられるから、レバーの浮き上がりを抑制することができる。
【図面の簡単な説明】
【０００８】
【図１】本実施例におけるコネクタであって、正規嵌合状態を表す断面図
【図２】正規嵌合状態のコネクタを表す断面図であって、図１のＡ−Ａ位置における断面に相当する断面図
【図３】第１ハウジングを表す斜視図
【図４】第２ハウジングを表す斜視図
【図５】第２ハウジングを表す正面図
【図６】嵌合途中のコネクタを示す断面図
【図７】嵌合途中のコネクタを示す断面図であって、図６のＢ−Ｂ位置における断面に相当する断面図
【発明を実施するための形態】
【０００９】
本発明の好ましい形態を以下に示す。
本発明のレバー式コネクタは、前記他方のハウジングが、前記レバー本体部に形成されたカム溝に係合可能なカム軸を有し、前記突起部が、前記カム軸と一体に形成されているものとしてもよい。このような構成によれば、カム軸の剛性が高くなるから、カム軸自体が傾くことを防ぐことができる。よって、カム軸が倒れてハウジングの嵌合姿勢が悪くなることを防ぐことができる。
【００１０】
また、本発明のレバー式コネクタは、前記一方のハウジングが、前記レバー本体部を間にして前記壁部と対向する対向壁部を有し、前記対向壁部が、前記一対のハウジングの正規嵌合時に、前記突起部に対し、前記嵌合方向に当接可能な当接部を備えているものとしてもよい。このような構成によれば、突起部と当接部とが嵌合方向に当接することによって、一対のハウジングの嵌合姿勢を矯正することができる。
【００１１】
また、本発明のレバー式コネクタは、前記一方のハウジングが、前記レバー本体部を間にして前記壁部と対向する対向壁部を有し、前記対向壁部が、前記突起部に対し、前記嵌合方向と交差する方向に当接可能な当接部を備えているものとしてもよい。このような構成によれば、突起部と当接部とが嵌合方向と交差する方向に当接することによって、一対のハウジングの嵌合方向と交差する方向（幅方向）の嵌合姿勢を矯正することができる。
【００１２】
また、本発明のレバー式コネクタは、前記突起部が、前記レバー本体部の前記板面に乗り上がることを誘導するテーパ面を備えているものとしてもよい。このような構成によれば、突起部がレバー本体部の周縁に引っ掛かって一対のハウジングの嵌合動作を阻害することを防ぐことができる。
【００１３】
＜実施例＞
以下、本発明を具体化した一実施例について、図１〜図７を参照しつつ詳細に説明する。
本実施例におけるレバー式コネクタ（以後、単にコネクタＣと称する）は、互いに嵌合可能な一対のハウジング（以後、第１ハウジング１０及び第２ハウジング３０と称する）と、第１ハウジング（一方のハウジング）１０に取り付けられた回動式のレバー２０とを備えている。レバー２０は、第１ハウジング１０の上面に沿って配される片側レバーであり、初期位置（図７参照）と嵌合位置（図２参照）との間を回動可能とされている。第１ハウジング１０と第２ハウジング３０とは、レバー２０を初期位置から嵌合位置まで回動することにより、正規嵌合される。
【００１４】
以下、各構成部材において、両ハウジング１０，３０における嵌合面側（第１ハウジング１０については図１の左側、第２ハウジング３０については図１の右側）をそれぞれ前方とし、また、図１の上側（レバー２０が取り付けられている側）を上方、下側を下方として説明する。
【００１５】
第１ハウジング１０は、合成樹脂製であって、全体としてブロック状をなし、内部には、図示しない端子金具が収容される端子収容室１１が、複数室形成されている。端子収容室１１は、高さ方向及び幅方向に並べて設けられている。
【００１６】
第１ハウジング１０の外面には、後述する第２ハウジング３０に設けられたリブ部３５が嵌合可能な溝部１２が凹設されている。溝部１２は、第１ハウジング１０の左右両側面に設けられ、第１ハウジング１０の前面から後端部に至るまで直線状に延びて形成されている。
【００１７】
第１ハウジング１０の上面には、レバー２０が収容されるレバー収容室１３が設けられている。レバー収容室１３は、レバー収容室１３の底壁となる第１ハウジング１０の壁部１０Ｗと、壁部１０Ｗと対向する対向壁部１０Ｔとを有して、第１ハウジング１０の上面に沿った偏平な形状をなしている。レバー収容部１３は、後方からレバー２０を収容可能とされている。
【００１８】
第１ハウジング１０の壁部１０Ｗには、レバー２０を回動可能に支持する支軸部１４が突設されている。支軸部１４は、略円柱形状をなし、レバー２０に設けられた軸受部２４に嵌め込まれる。支軸部１４は、第１ハウジング１０の後端寄りの位置において幅方向中央部に設けられている。支軸部１４の前面は、壁部１０Ｗの壁面に略垂直な面とされ、支軸部１４の後面には、軸受部２４との嵌合を容易にするべく傾斜面１５が形成されている。
【００１９】
対向壁部１０Ｔには、第２ハウジング３０に設けられたカム軸３６が通過可能な通過路１６が形成されている（図２参照）。通過路１６は、対向壁部１０Ｔを壁厚方向に貫通する溝であり、第１ハウジング１０の前面側に開口している。通過路１６は、第１ハウジング１０の幅方向における中央部に設けられ、前後方向に直線状に延びている。通過路１６の幅寸法は、カム軸３６の径寸法と同等とされている。
【００２０】
対向壁部１０Ｔには、第２ハウジング３０の突起部３７が嵌合可能な嵌合部１７が設けられている。嵌合部１７については、突起部３７とともに後ほど詳しく説明する。
【００２１】
レバー２０は、第１ハウジング１０の壁部１０Ｗに沿って配される板状をなすレバー本体部２１と、レバー本体部２１の板面（上面）に門型をなして立設された操作部２２とを有している（図３参照）。レバー本体部２１は、概ね全体がレバー収容室１３に収容され、操作部２２は、レバー収容室１３の後方に突出した状態になる。操作部２２は、レバー２０の初期位置では、図７に示すように、第１ハウジング１０の幅方向の中央部に位置し、レバー２０の嵌合位置では、図２に示すように、第１ハウジング１０の幅方向の一端側に位置する。
【００２２】
レバー本体部２１には、第２ハウジング３０のカム軸３６と係合可能なカム溝２３が形成されている。カム溝２３は、レバー本体部２１の上面２１Ｕ側に所定の形状をなして凹み形成されるとともに、レバー本体部２１の周面に開口している。カム軸３６がカム溝２３に沿って相対的に移動することにより、両ハウジング１０，３０の嵌合及び離脱がなされる。
【００２３】
レバー本体部２１には、第１ハウジング１０の支軸部１４が嵌合可能な軸受部２４が設けられている（図１参照）。軸受部２４は、レバー本体部２１の下面に凹設されている。軸受部２４の周面は、レバー本体部２１の板面（下面）に略垂直に形成され、支軸部１４の周面と面当たり可能とされている。
【００２４】
レバー本体部２１には、第１ハウジング１０に設けられた初期ロック部２６及び嵌合ロック部２７に係止可能な係止アーム２５が設けられている。係止アーム２５は、カム溝２３の入り口２３Ｅ近傍から片持ち状をなして延出している。レバー２０が初期位置にあるときには、図７に示すように、係止アーム２５の先端部が第１ハウジング１０の初期ロック部２６に係止し、レバー２０の回動操作を規制される。第１ハウジング１０と第２ハウジング３０との嵌合動作を開始する時には、第２ハウジング３０の係止解除部３４が係止アーム２５の先端部と初期ロック部２６との係止状態を解除し、レバー２０の回動操作が許容される。レバー２０が嵌合位置にあるときには、図２に示すように、係止アーム２５の先端部が第１ハウジング１０の嵌合ロック部２７に係止し、レバー２０の回動動作が規制される。
【００２５】
第２ハウジング３０は、合成樹脂製であり、第１ハウジング１０に外嵌可能なフード部３１を有している。フード部３１は、第１ハウジング１０の外形に整合した方形状をなして前方に開口している。フード部３１の内部には、タブ状に形成された複数の雄型の端子金具３２が、奥面（後面）３３から突出して配されている。
【００２６】
フード部３１の内周面には、係止解除部３４が突設されている。係止解除部３４は、フード部３１の奥面３３から前端に至るまで細長く延びた形状をなしている。
【００２７】
フード部３１の内周面には、第１ハウジング１０の溝部１２に嵌合可能なリブ部３５が突設されている。リブ部３５は、図５に示すように、フード部３１の左右両側面に設けられ、フード部３１の前端寄りの位置から奥面３３に至るまで直線状に延びている。
【００２８】
フード部３１の内周面には、レバー本体部２１に形成されたカム溝２３に係合可能なカム軸３６が突設されている。カム軸３６は、フード部３１の幅方向中央部に設けられ、若干フード部３１の前端寄りに位置している。
【００２９】
さて、第２ハウジング３０は、レバー本体部２１の上面（壁部１０Ｗに接する側とは反対側の板面）２１Ｕに当接可能な突起部３７を備えている。突起部３７は、図４及び図５に示すように、フード部３１の内周面に突設されている。突起部３７は、フード部３１の幅方向における中央部に設けられ、カム軸３６の前方に位置している。突起部３７の突出寸法は、カム軸３６の突出寸法よりも小さく、第１ハウジング１０の対向壁部１０Ｔの壁厚寸法と同等とされている。
【００３０】
突起部３７の前端部分は、図７に示すように、平面視、半円形状をなし、突起部３７の前端面３７Ｆは円弧状をなしている。突起部３７の幅方向の両側面３７Ｓは、略平行をなして前後方向に延びている。突起部３７の周面（前端面３７Ｆ及び両側面３７Ｓ）は、フード部３１の内周面（上面）に対して略垂直な面とされている。
【００３１】
突起部３７は、図４に示すように、カム軸３６の前面から突出する形態でカム軸３６と一体に形成されている。突起部３７は、カム軸３６の基端部分と一体化している。突起部３７の前後方向の寸法は、カム軸３６の前後方向の寸法（径寸法）と同等とされている。突起部３７の幅方向の寸法は、カム軸３６の幅方向の寸法（径寸法）よりも小さく、突起部３７は、カム軸３６の幅方向中心部に位置している。
【００３２】
突起部３７の前面側には、突起部３７がレバー本体部２１の上面２１Ｕに乗り上がることを誘導するテーパ面３８が設けられている。テーパ面３８は、突起部３７の幅方向中心部の突出端（下端）の角部に形成されている。テーパ面３８は、突起部３７の前端から後方に向かって、突起部３７の突出寸法が次第に増すように傾斜している。
【００３３】
第１ハウジング１０には、突起部３７が嵌合可能な嵌合部１７が形成されている。嵌合部１７は、突起部３７と同形状をなして、対向壁部１０Ｔを上下方向（内外方向）に貫通している穴である。嵌合部１７は、通過路１６の奥端（後端）に続いて通過路１６の後側に形成されている（図３参照）。嵌合部１７の前端は前方に開放されて通過路１６に連通し、嵌合部１７の左右両端及び後端は閉じている。嵌合部１７は、通過路１６と同一直線上に形成されている。嵌合部１７の幅寸法は、突起部３７の幅寸法と同等の寸法であり、通過路１６の幅寸法より小さくされている。嵌合部１７の前後方向の寸法は、突起部３７の前後方向の寸法と同等とされている。
【００３４】
嵌合部１７の後面は、第１ハウジング１０と第２ハウジング３０との正規嵌合時に、突起部３７と前後方向（嵌合方向）に当接可能な当接部（以後、第１当接部１８と称する）とされている。第１当接部１８は、円弧形状をなして湾曲している。第１当接部１８は、対向壁部１０Ｔの壁面に対して略垂直な面とされている。
【００３５】
嵌合部１７の左右両側面は、第１ハウジング１０と第２ハウジング３０との正規嵌合時に、突起部３７と左右方向（嵌合方向と交差する方向）に当接可能な当接部（以後、第２当接部１９と称する）とされている。第２当接部１９は、略平行をなして前後方向に直線状をなしている。第２当接部１９は、対向壁部１０Ｔの壁面に対して略垂直な面とされている。
【００３６】
次に、コネクタＣの嵌合作業の一例を説明する。
まず、図７に示すように、第１ハウジング１０と第２ハウジング３０とを初期状態に嵌合し、カム軸３６がカム溝２３の入り口２３Ｅに入り込んだ状態にする。このとき、突起部３７は、テーパ面３８の傾斜に誘導されてレバー本体部２１の上縁に引っ掛かることなく、レバー本体部２１の上面２１Ｕに乗り上がる。レバー本体部２１の上面２１Ｕに乗り上がった突起部３７は、カム溝２３の入り口２３Ｅと隣接する部分、言い換えると、係止アーム２５の付け根部分に位置する。また、第１ハウジング１０の溝部１２に、第２ハウジング３０のリブ部３５が入り込んだ状態になる。
【００３７】
次に、レバー２０を初期位置から嵌合位置に向かって回動操作する。レバー２０を回動するべく操作部２２を操作する（斜め前方に押圧する）と、レバー本体部２１の前端側が下がり、後端側が上がる向きでレバー２０が傾こうとする、言い換えると、レバー本体部２１が、前端を支点として後端側が上方に浮き上がるような斜め姿勢になろうとする場合がある。しかしながら、このような場合には、レバー本体部２１の上面２１Ｕが突起部３７に当接するので、レバー本体部２１の上方変位（浮き上がり）は規制される。これにより、レバー本体部２１は水平姿勢に保持され、第１ハウジング１０と第２ハウジング３０とは正しい姿勢（端子金具３２が端子収容室１１に真っ直ぐに進入する姿勢）を保って次第に接近する。
【００３８】
そして、カム軸３６は通過路１６の奥側へ進み、突起部３７はレバー本体部２１の上面２１Ｕに沿って前進（支軸部１４に接近）し、両ハウジング１０，３０の嵌合姿勢を矯正し続ける。突起部３７が嵌合部１７に入ると、突起部３７の両側面３７Ｓが第２当接部１９に当接し、第１ハウジング１０と第２ハウジング３０との左右方向の位置が矯正される。
【００３９】
やがて、レバー２０の操作部２２が嵌合位置に至ると、両ハウジング１０，３０の嵌合作業が完了する。このとき、カム軸３６はカム溝２３の奥端部に到達し、カム軸３６の周面がカム溝２３の奥端面に近接する。また、突起部３７の全体が嵌合部１７に嵌合し、突起部３７の前面が第１当接部１８に当接する。ここで、第１ハウジング１０と第２ハウジング３０とが平行姿勢にならずに相対的に傾いていたとしても、突起部３７の前面と第１当接部１８とが面当たりすることによって、水平姿勢に矯正される。こうして、コネクタＣは正しい姿勢で嵌合される。
【００４０】
次に、上記のように構成された実施例の作用および効果について説明する。
本実施例のコネクタＣは、互いに嵌合可能な一対のハウジング１０，３０を有し、第１ハウジング１０に取り付けられたレバー２０が、第１ハウジング１０の壁部１０Ｗに沿って配される板状をなすレバー本体部２１を有し、第２ハウジング３０が、レバー本体部２１の上面２１Ｕに当接可能な突起部３７を備えているものである。この構成によれば、レバー本体部２１の浮き上がりが、突起部３７によって押さえられるから、レバー２０の浮き上がりを抑制することができる。
【００４１】
また、第２ハウジング３０が、レバー本体部２１に形成されたカム溝２３に係合可能なカム軸３６を有し、突起部３７が、カム軸３６と一体に形成されている。この構成によれば、カム軸３６の剛性が高くなるから、カム軸３６自体が傾くことを防ぐことができる。よって、カム軸３６が倒れてハウジング１０，３０の嵌合姿勢が悪くなることを防ぐことができる。
【００４２】
また、第１ハウジング１０が、レバー本体部２１を間にして壁部１０Ｗと対向する対向壁部１０Ｔを有し、対向壁部１０Ｔが、一対のハウジング１０，３０の正規嵌合時に、突起部３７に対し前後方向に当接可能な第１当接部１８を備えている。この構成によれば、突起部３７と第１当接部１８とが前後方向に当接することによって、一対のハウジング１０，３０の嵌合姿勢を矯正することができる。
【００４３】
また、対向壁部１０Ｔが、突起部３７に対し左右方向に当接可能な第２当接部１９を備えている。この構成によれば、突起部３７と第２当接部１９とが左右方向に当接することによって、一対のハウジング１０，３０の左右方向の嵌合姿勢を矯正することができる。
【００４４】
また、突起部３７が、レバー本体部２１の上面２１Ｕに乗り上がることを誘導するテーパ面３８を備えている。この構成によれば、突起部３７がレバー本体部２１の周縁に引っ掛かって一対のハウジング１０，３０の嵌合動作を阻害することを防ぐことができる。
【００４５】
＜他の実施例＞
本発明は上記記述及び図面によって説明した実施例に限定されるものではなく、例えば次のような実施例も本発明の技術的範囲に含まれる。
（１）上記実施例では、突起部３７がカム軸３６と一体に形成されているが、これに限らず、突起部を、カム軸から離れた位置に設けても良い。
（２）上記実施例では、第１ハウジング１０に、第１当接部１８と第２当接部１９とが設けられているが、第１当接部または第２当接部は必ずしも設けなくても良い。
【符号の説明】
【００４６】
Ｃ…レバー式コネクタ
１０…第１ハウジング（一方のハウジング）
１０Ｔ…対向壁部
１０Ｗ…壁部
１８…第１当接部
１９…第２当接部
２０…レバー
２１…レバー本体部
２１Ｕ…上面（壁部に接する側とは反対側の板面）
２３…カム溝
３０…第２ハウジング（他方のハウジング）
３６…カム軸
３７…突起部
３８…テーパ面
【図１】
2018078008.tif 000003
【図２】
2018078008.tif 000004
【図３】
2018078008.tif 000005
【図４】
2018078008.tif 000006
【図５】
2018078008.tif 000007
【図６】
2018078008.tif 000008
【図７】
2018078008.tif 000009